(57)【特許請求の範囲】
【請求項１】
画像データを取得する撮像素子と、
前記画像データの画像処理を行う画像処理部と、
前記画像処理に関する設定状態を示す設定状態表示領域と、前記設定状態における色状態を図示する色状態表示領域とを有する画像処理設定画面を表示する表示部とを備え、
前記設定状態表示領域は、前記画像処理における色相と全体的な彩度を、前記設定状態として示し、
前記色状態表示領域は、前記全体的な彩度に基づいて、前記画像処理における複数の色成分の彩度を図示し、
前記色状態を図示するために、前記色状態表示領域は、前記複数の色成分の彩度を示す図形を有し、
前記図形は、前記色相に応じて、前記図形の形状を保ったまま回転した状態で前記色状態表示領域に表され、前記複数の色成分の彩度に応じて、前記図形の相似形状を保ったまま拡大又は縮小することを特徴とする撮像装置。
【請求項２】
前記図形は、前記複数の色成分の彩度に応じてプロットされた点同士を結ぶことにより形成される二次元図形であることを特徴とする請求項１に記載の撮像装置。
【請求項３】
前記図形は、第１、第２軸を有するレーダーチャートであり、
前記複数の色成分は、第１〜第４色成分で構成され、
前記レーダーチャートの頂点は、前記第１〜第４色成分の彩度を示し、
前記第１色成分に対応する頂点と、前記第１色成分と補色関係にある前記第３色成分に対応する頂点とは、前記第１軸の近傍にプロットされ、
前記第２色成分に対応する頂点と、前記第２色成分と補色関係にある前記第４色成分に対応する頂点とは、前記第２軸の近傍にプロットされることを特徴とする請求項２に記載の撮像装置。
【請求項４】
前記二次元図形は、第１、第２、第３軸を有するレーダーチャートであり、
前記複数の色成分は、レッド、グリーン、ブルー、イエロー、シアン、およびマゼンタで構成され、
前記レーダーチャートの頂点は、前記レッド、前記グリーン、前記ブルー、前記イエロー、前記シアン、および前記マゼンタの彩度を示し、
前記レッドに対応する頂点と、前記シアンに対応する頂点とは、前記第１軸の近傍にプロットされ、
前記グリーンに対応する頂点と、前記マゼンタに対応する頂点とは、前記第２軸の近傍にプロットされ、
前記ブルーに対応する頂点と、前記イエローに対応する頂点とは、前記第３軸の近傍にプロットされ、
前記レーダーチャートは、前記色相の設定状態に応じて、前記第１、第２、第３軸の交点を中心に回転した状態で表されることを特徴とする請求項２に記載の撮像装置。
【請求項５】
前記色状態を図示するために、前記色状態表示領域は、Ｌ＊ａ＊ｂ＊座標系におけるａ軸とｂ軸を含む平面上に、前記複数の色成分の彩度を図示することを特徴とする請求項１に記載の撮像装置。
【請求項６】
前記表示部は、前記画像データについて、前記設定状態に対応する画像処理を施した画像を表示した状態で、前記画像処理設定画面を表示することを特徴とする請求項１に記載の撮像装置。
【発明の詳細な説明】
【技術分野】
【０００１】
本発明は、撮像装置に関し、特に画像処理の設定を行う画面表示に関する。
【背景技術】
【０００２】
従来、撮像装置において、画像処理の設定が可能な撮像装置が提案されている。
【０００３】
特許文献１は、画像処理の設定値（パラメータ）に対応した画像を表示する撮像装置を開示する。
【特許文献１】特開２００４−２８２１７８号公報
【発明の開示】
【発明が解決しようとする課題】
【０００４】
また、画像仕上げパターン（予め設定された彩度、色相、シャープネス、コントラストなどの設定値の組み合わせ）を複数保持し、それらを切り替えることが出来る撮像装置が提案されている。しかし、画像処理の設定値に対応する色状態（彩度や色相）は、画像を確認するだけでは違いが分かりにくい。また、その設定値で撮影した画像の仕上がりを想像しにくい。
【０００５】
したがって本発明の目的は、画像処理の設定値に対応する色状態（彩度や色相）を視覚的に容易に認識できる撮像装置を提供することである。
【課題を解決するための手段】
【０００６】
本発明に係る撮像装置は、画像データを取得する撮像素子と、画像データの画像処理を行う画像処理部と、画像処理に関する設定状態を示す設定状態表示領域と、設定状態における色状態を図示する色状態表示領域とを有する画像処理設定画面を表示する表示部とを備え、設定状態表示領域は、画像処理における色相を、設定状態として示し、色状態を図示するために、色状態表示領域は、複数の色成分の彩度を示す図形を有し、図形は、色相に応じて、回転した状態で色状態表示領域に表され、複数の色成分の彩度に応じて形状や大きさが変化する。
【０００７】
好ましくは、図形は、複数の色成分の彩度に応じてプロットされた点同士を結ぶことにより形成される二次元図形である。
【０００８】
さらに好ましくは、図形は、第１、第２軸を有するレーダーチャートであり、複数の色成分は、第１〜第４色成分で構成され、レーダーチャートの頂点は、第１〜第４色成分の彩度を示し、第１色成分に対応する頂点と、第１色成分と補色関係にある第３色成分に対応する頂点とは、第１軸の近傍にプロットされ、第２色成分に対応する頂点と、第２色成分と補色関係にある第４色成分に対応する頂点とは、第２軸の近傍にプロットされる。
【０００９】
また、好ましくは、二次元図形は、第１、第２、第３軸を有するレーダーチャートであり、複数の色成分は、レッド、グリーン、ブルー、イエロー、シアン、およびマゼンタで構成され、レーダーチャートの頂点は、レッド、グリーン、ブルー、シアン、およびマゼンタの彩度を示し、レッドに対応する頂点と、シアンに対応する頂点とは、第１軸の近傍にプロットされ、グリーンに対応する頂点と、マゼンタに対応する頂点とは、第２軸の近傍にプロットされ、ブルーに対応する頂点と、イエローに対応する頂点とは、第３軸の近傍にプロットされ、レーダーチャートは、色相の設定状態に応じて、第１、第２、第３軸の交点を中心に回転した状態で表される。
【００１０】
また、好ましくは、色状態を図示するために、色状態表示領域は、Ｌ＊ａ＊ｂ＊座標系におけるａ軸とｂ軸を含む平面上に、複数の色成分の彩度を図示する。
【００１１】
また、好ましくは、表示部は、画像データについて、設定状態に対応する画像処理を施した画像を表示した状態で、画像処理設定画面を表示する。
【発明の効果】
【００１２】
以上のように本発明によれば、画像処理の設定値に対応する色状態（彩度や色相）を視覚的に容易に認識できる撮像装置を提供することができる。
【発明を実施するための最良の形態】
【００１３】
以下、本実施形態について、図を用いて説明する。撮像装置１は、デジタルカメラである。
【００１４】
撮像装置１の撮像に関する部分は、操作部１０、制御部３０、ＥＥＰＲＯＭ４０、レンズ駆動部４５、露出制御部４７、レンズ５１、ＣＣＤなどの撮像素子５３、ＡＦＥ（アナログフロントエンド）５５、ＤＳＰ（映像信号処理回路）６０、記録部７０、ＳＤＲＡＭ（バッファメモリ）８０、及び表示部９０を備える（図１参照）。操作部１０は、電源レバー１２、レリーズボタン１３、ファンクションキー１５、４方向キー１６、及びＯＫボタン１７を有する（図１〜図３参照）。表示部９０は、光学ファインダ９１、及び第１、第２表示部９２ａ、９２ｂを有する。
【００１５】
レリーズボタン１３が全押しされてレリーズスイッチ（不図示）がオン状態にされることにより、被写体像は、レンズ５１を介した光学像として、撮像素子５３で撮像される。撮像された静止画像は、ＡＦＥ５５でアナログ信号からデジタル信号に変換され、ＤＳＰ６０で画像処理された後、第１表示部９２ａに表示される。また、撮像された静止画像のデータ（ＪＰＥＧなど使用者の任意のファイルフォーマット）は記録部７０に記録される。被写体像の、レンズ５１を介した光学像は、光学ファインダ９１によって光学的に観察可能である。
【００１６】
また、電源レバー１２をプレビュー指示位置（不図示）に合わせることにより、被写体像は、レンズ５１を介した光学像として、撮像素子５３で撮像される。この場合、撮像された静止画像のデータはＳＤＲＡＭ８０に一時記録されるが、記録部７０には記録されない。但し、ＳＤＲＡＭ８０に一時記録されたデータ（ＲＡＷデータ）は、現像処理後に、記録部７０に記録することが出来る。ＳＤＲＡＭ８０に一時記録された画像データ（ＲＡＷデータ、ＹＣｂＣｒデータなど画像処理が施される前のデータ）は、プレビュー表示に使用される他、第１〜第３画像処理設定画面Ｐ１〜Ｐ３の確認画像（図８〜図１１参照）として使用される。
【００１７】
電源レバー１２は、撮像装置１の前面グリップ部分で且つレリーズボタン１３の周囲に配置されたレバーで、使用者が撮像装置１を保持した状態で使用者の右手人差し指などを使って回転させて所定位置（オン指示位置、オフ指示位置、プレビュー指示位置）にレバー指標を合わせることにより、撮像装置１の電源のオンオフ、及びＳＤＲＡＭ８０に一時記録するための撮像（プレビュー表示動作）が行われる。
【００１８】
レリーズボタン１３は、半押しすることにより測光スイッチ（不図示）がオン状態にされ露出制御部４７による測光やレンズ駆動部４５による測距及び合焦動作が行われる。
【００１９】
レリーズボタン１３は、全押しすることによりレリーズスイッチがオン状態にされ撮像が行われる。撮像により得られた画像データに対応する画像は、第１表示部９２ａに表示され、画像データは記録部７０に記録される。レリーズボタン１３の全押しに対応して撮像される画像は静止画像であってもよいし、動画像であってもよい。
【００２０】
使用者が操作キーとしてのファンクションキー１５、４方向キー１６、及びＯＫボタン１７を操作することにより、ＤＳＰ６０で行われる画像処理における諸設定（画像処理設定（画像仕上げパターン（予め設定された色成分ごとの彩度、色相、シャープネス、コントラストなどの設定値の組み合わせ）の選択、選択された画像仕上げパターンにおける全体的な彩度、色相、コントラスト、及びシャープネスの調整））が行われる。本実施形態では、画像仕上げパターンが変更されると、色成分ごとの彩度の組み合わせも変わる。また、全体的な彩度の設定値が変更されると、色成分ごとの彩度は同じ割合で変わる。
【００２１】
ファンクションキー１５は、撮像装置１の背面右下に配置される。４方向キー１６は、上方向キー１６ａ、下方向キー１６ｂ、右方向キー１６ｃ、左方向キー１６ｄを有し、ＯＫボタン１７を囲む位置関係で、撮像装置１の背面右側に配置される。通常の撮影モードにおいて、ファンクションキー１５を押下することにより、機能設定画面（不図示）が第１表示部９２ａに表示され、さらにＯＫボタン１７を押下することにより、第１画像処理設定画面Ｐ１（図４、図８参照）が第１表示部９２ａに表示される。
【００２２】
４方向キー１６は、上方向キー１６ａ、下方向キー１６ｂ、右方向キー１６ｃ、左方向キー１６ｄを有し、ＯＫボタン１７を囲む位置関係で、撮像装置１の背面右側に配置される。第１表示部９２ａに画像処理の設定状態に関する情報（第１〜第３画像処理設定画面Ｐ１〜Ｐ３）を表示させた状態で、４方向キー１６を操作することにより、画像処理の設定状態が変更される。
【００２３】
ＯＫボタン１７は、機能設定画面から、画像処理設定画面Ｐ１への切換、及び４方向キー１６により設定された画像処理に関する設定状態（画像仕上げパターン、全体的な彩度、色相などの設定値）を確定するのに使用される。第１〜第３画像処理設定画面Ｐ１〜Ｐ３が表示された状態で、ＯＫボタン１７が押下されると、選択された画像仕上げパターンにおける全体的な彩度、色相、コントラスト、及びシャープネスの設定値が確定され、第１〜第３画像処理設定画面Ｐ１〜Ｐ３の表示が解除されて、通常の撮影モードに切り替えられる。全体的な彩度などの画像処理に関する設定値が変更された場合には、変更後の設定値がＥＥＰＲＯＭ４０に上書き保存される。
【００２４】
制御部３０は、撮像に関する各部の制御、特に、ＤＳＰ６０で行われる画像処理の諸設定を行う場合に、操作部１０の操作に対応して、画像処理の設定状態を変更し、更にプレビュー表示が行われている場合にはプレビュー表示されている静止画像に対して画像処理の設定状態に基づいて画像処理を行い、且つ画像処理の設定状態に関する情報表示（第１〜第３画像処理設定画面Ｐ１〜Ｐ３の表示）と画像処理後の静止画像とを表示部９０（第１表示部９２ａ）に表示する制御を行う。
【００２５】
また、制御部３０は、設定された画像仕上げパターン、全体的な彩度に基づいて、画像処理におけるレッドＲ、グリーンＧ、ブルーＢ、イエローＹ、シアンＣ、マゼンタＭの各色の彩度を、第１〜第３画像処理設定画面Ｐ１〜Ｐ３における色状態表示領域ＩＰ７０にレーダーチャートを使って図示する。また、制御部は、設定された色相に基づいて（色相の変更方向及び変更量に応じて）、画像処理における色相の回転度合いを、第１〜第３画像処理設定画面Ｐ１〜Ｐ３における色状態表示領域ＩＰ７０にレーダーチャートを、原点Ｏを中心に回転させて図示する。これにより、使用者は、画像処理における画像仕上げパターン及び画像処理に用いられる個々の設定値を変えることによって画像処理における色状態（レーダーチャートの形状で各色の強み、レーダーチャートの大きさで彩度の強さ、レーダーチャートの傾き度合いで色相による色の変化度合い）を視覚的に認識することが可能になる。すなわち、レーダーチャートは、色成分ごとに異なる方向で且つ彩度に応じて形状が変化する二次元図形（６角形）であり、画像処理の設定状態が二次元的に表現される。
【００２６】
ＥＥＰＲＯＭ４０は、全体的な彩度などの画像処理に関する設定値を記録する。画像仕上げパターンごとの全体的な彩度、色相などの画像処理に関する設定値は、予めメーカー側で設定した値が初期値としてＥＥＰＲＯＭ４０に記録されるが、操作部１０の操作に対応してユーザーの任意の設定値に変更して記録することが可能である。ただし、色成分ごとの彩度は変更出来ない。
【００２７】
ＡＦＥ５５は、撮像素子５３で得られたアナログ画像信号をデジタル信号に変換し、ＤＳＰ６０は、デジタル信号に対して、画像処理を施す。
【００２８】
光学ファインダ９１は、使用者の一方の目でのぞき込んで被写体像のレンズ５１を介した光学像や、使用者が設定するか測光により算出された露光条件を観察するファインダである。
【００２９】
第１表示部９２ａは、撮像装置１の背面に配置された表示装置で、撮像により得られた画像（プレビュー表示に用いられる静止画像を含む）を表示する他、画像処理の設定状態に関する情報表示（第１〜第３画像処理設定画面Ｐ１〜Ｐ３の表示）を行う。第２表示部９２ｂは、撮像装置１の上面に配置された表示装置で、露光条件やホワイトバランスなどの画像処理や記録に関する機能設定状態を表示する。
【００３０】
通常の撮影モードにおいて、ファンクションキー１５、及びＯＫボタン１７を操作することにより、第１表示部９２ａは、画像処理の設定状態に関する情報表示を行う画像処理設定外面Ｐ１を表示する。ＳＤＲＡＭ８０に画像データが一時記録されている場合は、最新の画像データを第１表示部９２ａに表示した状態（プレビュー表示）で、画像処理の設定状態に関する情報表示（画像処理設定画面Ｐ１の表示）を重ねて行う（オンスクリーン表示、図８参照）。ＳＤＲＡＭ８０に画像データが一時記録されていない場合は、画像処理の設定状態に関する情報表示（画像処理設定画面Ｐ１の表示）だけを行う（図４参照）。
【００３１】
次に、第１〜第３画像処理設定画面Ｐ１〜Ｐ３の詳細について説明する。
【００３２】
第１画像処理設定画面Ｐ１は、全体的な彩度の設定値を調整するための彩度設定表示領域ＩＰ１０、色相の設定値を調整するための色相設定表示領域ＩＰ２０、コントラストの設定値を調整するためのコントラスト設定表示領域ＩＰ３０、シャープネスの設定値を調整するためのシャープネス設定表示領域ＩＰ４０、選択された画像仕上げパターンをアイコン表示する第１画像仕上げパターン表示領域ＩＰ５１、選択された画像仕上げパターンの名称を表示する画像仕上げパターン名称表示領域ＩＰ６１、設定値に基づくＲＧＢＹＣＭの各色の色状態（彩度、色相）を図示する色状態表示領域ＩＰ７０、電源レバー１２のプレビュー指示位置にレバー指標を合わせることに対応する、新たに撮像を行ってプレビュー表示を行う指示をアイコンと文字で示すプレビュー指示表示領域ＩＰ８０、及びＯＫボタン１７の押下に対応して、画像処理に関する設定状態を確定させるアイコンと文字を有する決定指示表示領域ＩＰ９０を有する（図４、図８参照）。図４、図８は、画像仕上げパターンとしてナチュラルモードが選択された状態を示す。
【００３３】
彩度設定表示領域ＩＰ１０は、全体的な彩度調整を示す第１アイコンＩＣ１、使用者により設定される全体的な彩度の設定値を示す第１カーソルＣＲ１、選択された画像仕上げパターンに対応して予めメーカーにより設定された全体的な彩度の設定値を示す第１メーカー設定値ＭＳ１、及び第１カーソルＣＲ１の移動領域を示す第１移動領域ＳＡ１を有する。図４、図８では、使用者により設定される全体的な彩度の設定値、及びメーカーにより設定された全体的な彩度の設定値がいずれも中間値（標準値）である状態を示す。第１カーソルＣＲ１は使用者が右方向キー１６ｃ、左方向キー１６ｄを操作することにより横方向に移動して設定値の増減が可能であるが、第１メーカー設定値ＭＳ１は移動しないため、メーカー設定値との差異を視認できる。彩度設定表示領域ＩＰ１０の第１アイコンＩＣ１、及び第１移動領域ＳＡ１は透過しない色構成を有し、背面の画像は表示されない。
【００３４】
色相設定表示領域ＩＰ２０は、色相調整を示す第２アイコンＩＣ２、使用者により設定される色相の設定値を示す第２カーソルＣＲ２、選択された画像仕上げパターンに対応して予めメーカーにより設定された色相の設定値を示す第２メーカー設定値ＭＳ２、及び第２カーソルＣＲ２の移動領域を示す第２移動領域ＳＡ２を有する。図４、図８では、使用者により設定される色相の設定値、及びメーカーにより設定された色相の設定値がいずれも中間値（標準値）である状態を示す。第２カーソルＣＲ２は使用者が右方向キー１６ｃ、左方向キー１６ｄを操作することにより横方向に移動して設定値の増減が可能であるが、第２メーカー設定値ＭＳ２は移動しないため、メーカー設定値との差異を視認できる。色相設定表示領域ＩＰ２０の第２アイコンＩＣ２、及び第２移動領域ＳＡ２は透過しない色構成を有し、背面の画像は表示されない。
【００３５】
コントラスト設定表示領域ＩＰ３０は、コントラスト調整を示す第３アイコンＩＣ３、使用者により設定されるコントラストの設定値を示す第３カーソルＣＲ３、選択された画像仕上げパターンに対応して予めメーカーにより設定されたコントラストの設定値を示す第３メーカー設定値ＭＳ３、及び第３カーソルＣＲ３の移動領域を示す第３移動領域ＳＡ３を有する。図４、図８では、使用者により設定されるコントラストの設定値、及びメーカーにより設定されたコントラストの設定値がいずれも中間値（標準値）である状態を示す。第３カーソルＣＲ３は使用者が右方向キー１６ｃ、左方向キー１６ｄを操作することにより横方向に移動して設定値の増減が可能であるが、第３メーカー設定値ＭＳ３は移動しないため、メーカー設定値との差異を視認できる。コントラスト設定表示領域ＩＰ３０の第３アイコンＩＣ３、及び第３移動領域ＳＡ３は透過しない色構成を有し、背面の画像は表示されない。
【００３６】
シャープネス設定表示領域ＩＰ４０は、シャープネス調整を示す第４アイコンＩＣ４、使用者により設定されるシャープネスの設定値を示す第４カーソルＣＲ４、選択された画像仕上げパターンに対応して予めメーカーにより設定されたシャープネスの設定値を示す第４メーカー設定値ＭＳ４、及び第４カーソルＣＲ４の移動領域を示す第４移動領域ＳＡ４を有する。図４、図８では、使用者により設定されるシャープネスの設定値、及びメーカーにより設定されたシャープネスの設定値がいずれも中間値（標準値）である状態を示す。第４カーソルＣＲ４は使用者が右方向キー１６ｃ、左方向キー１６ｄを操作することにより横方向に移動して設定値の増減が可能であるが、第４メーカー設定値ＭＳ４は移動しないため、メーカー設定値との差異を視認できる。シャープネス設定表示領域ＩＰ４０の第４アイコンＩＣ４、及び第４移動領域ＳＡ４は透過しない色構成を有し、背面の画像は表示されない。
【００３７】
第１画像仕上げパターン表示領域ＩＰ５１のアイコン部分は、透過しない色構成を有し、背面の画像は表示されない。
【００３８】
色状態表示領域ＩＰ７０は、補色関係にあるレッドＲとシアンＣを結ぶＲＣ軸ＡＸＲＣ、グリーンＧとマゼンタＭとを結ぶＧＭ軸ＡＸＧＭ、及びブルーＢとイエローＹとを結ぶＢＹ軸ＡＸＢＹを、対向する頂点を結ぶ対角線として有する正６角形の表示領域を有するレーダーチャートであり、ＲＣ軸ＡＸＲＣ上にプロットされたＲの彩度、ＧＭ軸ＡＸＧＭ上にプロットされたＭの彩度、ＢＹ軸ＡＸＢＹ上にプロットされたＢの彩度、ＲＣ軸ＡＸＲＣ上にプロットされたＣの彩度、ＧＭ軸ＡＸＧＭ上にプロットされたＧの彩度、ＢＹ軸ＡＸＢＹ上にプロットされたＹの彩度を結ぶことによりレーダーチャートＣＨが形成される。原点Ｏは、ＲＣ軸ＡＸＲＣ上のＲの彩度を示す点とＣの彩度を示す点との間に配置され、ＧＭ軸ＡＸＧＭ上のＧの彩度を示す点とＭの彩度を示す点の間に配置され、ＢＹ軸ＡＸＢＹ上のＢの彩度を示す点とＹの彩度を示す点の間に配置される。但し、色相が中間値から離れた値に設定された場合には、各色の彩度（６角形を形成する各頂点）は、これらの軸上から一定角度だけ回転移動した位置にプロットされる。ＲＣ軸ＡＸＲＣ、ＧＭ軸ＡＸＧＭ、ＢＹ軸ＡＸＢＹの交点、すなわち原点Ｏは彩度の最小値を示し、原点Ｏから離れるほど高い彩度を示す。
【００３９】
図４、図８は、各色を特に強調させないナチュラルモードが画像仕上げパターンとして選択され、色相が中間値に設定されるため、レーダーチャートＣＨは、正６角形を示し、各頂点は軸上にプロットされる。これに対して、画像仕上げパターンが、いずれかの色を偏って強くする（弱くする）モード（例えば風景モードで、Ｂを強めに、ＭとＹを弱めに設定）が選択された場合には、レーダーチャートＣＨは、正６角形と異なる６角形を示す（図５、図９参照）。また、全体的な彩度を上げた場合には、６角形が相似形状を保ったまま拡大し（図６、図１０参照）、全体的な彩度を下げた場合には、６角形が相似形状を保ったまま縮小する。また、色相を変えた場合には、色相の変更方向及び変更量に応じて、６角形が大きさ及び形状を保ったまま原点Ｏを中心に回転移動する（図７、図１１参照）。コントラスト、シャープネスの設定値は、彩度に影響しないため、レーダーチャートＣＨの形状や傾きに影響しない。
【００４０】
色相を変えて、レーダーチャートＣＨの回転させた場合には、回転させた場合のレーダーチャートＣＨの表示に加えて、回転させなかった場合のレーダーチャートＣＨ’を点線で表示してもよい（図７、図１１参照）。
【００４１】
色状態表示領域ＩＰ７０の外形を構成する正６角形枠は、右上辺部ＳＬ１、左上辺部ＳＬ２、左側辺部ＳＬ３、左下辺部ＳＬ４、右下辺部ＳＬ５、右側辺部ＳＬ６を有する。色状態表示領域ＩＰ７０は透過しない色構成を有し、背面の画像は表示されない。
【００４２】
右上辺部ＳＬ１は、右側がイエローＹで、左側に向かってレッドＲに変わるグラデーションが施された色構成を有する。左上辺部ＳＬ２は、右側がレッドＲで、左側に向かってマゼンタＭに変わるグラデーションが施された色構成を有する。左側辺部ＳＬ３は、上側がマゼンタＭで、下側に向かってブルーＢに変わるグラデーションが施された色構成を有する。左下辺部ＳＬ４は、左側がブルーＢで、右側に向かってシアンＣに変わるグラデーションが施された色構成を有する。右下辺部ＳＬ５は、左側がシアンＣで、右側に向かってグリーンＧに変わるグラデーションが施された色構成を有する。右側辺部ＳＬ６は、下側がグリーンＧで、上側に向かってイエローＹに変わるグラデーションが施された色構成を有する。
【００４３】
上方向キー１６ａまたは下方向キー１６ｂが押下されると、選択領域表示フレームＦＲが、彩度設定表示領域ＩＰ１０、色相設定表示領域ＩＰ２０、コントラスト設定表示領域ＩＰ３０、シャープネス設定表示領域ＩＰ４０の各項目を上下移動して、設定値変更の対象項目が選択される。図４においては、選択領域表示フレームＦＲが第１画像仕上げパターン表示領域ＩＰ５１に位置しており、右方向キー１６ｃまたは左方向キー１６ｄの操作により、ナチュラルモード以外の画像仕上げパターンへ移行可能であることを示している。
【００４４】
第１画像処理設定画面Ｐ１が表示された状態で右方向キー１６ｃまたは左方向キー１６ｄが押下されると、画像仕上げパターンを選択するための第２画像処理設定画面Ｐ２に切り替えられる（図５、図９参照）。第１画像処理設定画面Ｐ１が表示された状態で上方向キー１６ａまたは下方向キー１６ｂが押下されると、選択領域表示フレームＦＲが移動して、押下前に選択されていた画像仕上げパターンにおける全体的な彩度などの設定のための第３画像処理設定画面Ｐ３に切り替えられる（図６、図７、図１０、図１１参照）。
【００４５】
第２画像処理設定画面Ｐ２は、彩度設定表示領域ＩＰ１０、色相設定表示領域ＩＰ２０、コントラスト設定表示領域ＩＰ３０、シャープネス設定表示領域ＩＰ４０、選択可能な画像仕上げパターンをアイコン表示する第２画像仕上げパターン表示領域ＩＰ５２、画像仕上げパターン名称表示領域ＩＰ６１、色状態表示領域ＩＰ７０、プレビュー指示表示領域ＩＰ８０、及び決定指示表示領域ＩＰ９０を有する（図５、図９参照）。図５、図９は、画像仕上げパターンとして風景モードが選択された状態を示す。
【００４６】
第２画像仕上げパターン表示領域ＩＰ５２は、選択された画像仕上げパターンに対応するモードを大きく表示し、選択領域表示フレームＦＲで囲み、他の選択可能なモードを小さく表示する。第２画像仕上げパターン表示領域ＩＰ５２のアイコン部分は、透過しない色構成を有し、背面の画像は表示されない。
【００４７】
選択領域表示フレームＦＲは、第１画像処理設定画面Ｐ１が表示された状態においては、選択された画像仕上げパターンを強調するための枠と、枠の周囲に方向キーに対応した矢印（ここでは右方向キー１６ｃに対応した右方向矢印と左方向キー１６ｄに対応した左方向矢印）とを有する。第２画像処理設定画面Ｐ２が表示された状態においては、選択された画像仕上げパターンを強調するための枠と、枠の周囲に方向キーに対応した矢印（ここでは下方向キー１６ｂに対応した下方向矢印）とを有する。第３画像処理設定画面Ｐ３が表示された状態においては、選択された画像処理項目を強調するための枠と、枠の周囲に方向キーに対応した矢印（ここでは右方向キー１６ｃに対応した右方向矢印と左方向キー１６ｄに対応した左方向矢印）とを有する。
【００４８】
第２画像処理設定画面Ｐ２が表示された状態で右方向キー１６ｃまたは左方向キー１６ｄが押下されると、選択領域表示フレームＦＲが横方向に移動せしめられ、画像仕上げパターンが変更せしめられる。第２画像処理設定画面Ｐ２が表示された状態で上方向キー１６ａまたは下方向キー１６ｂが押下されると、第３画像処理設定画面Ｐ３に切り替えられる。
【００４９】
第３画像処理設定画面Ｐ３は、彩度設定表示領域ＩＰ１０、色相設定表示領域ＩＰ２０、コントラスト設定表示領域ＩＰ３０、シャープネス設定表示領域ＩＰ４０、第１画像仕上げパターン表示領域ＩＰ５１、画像処理項目名称と設定値とを表示する項目名称及び設定値表示領域ＩＰ６２、色状態表示領域ＩＰ７０、プレビュー指示表示領域ＩＰ８０、及び決定指示表示領域ＩＰ９０を有する（図６、図７、図１０、図１１参照）。
【００５０】
図６、図１０は、画像仕上げパターンとして風景モードが選択され、画像処理項目として全体的な彩度が選択され、使用者により全体的な彩度が中間値よりも高く設定された状態を示す。図７、図１１は、画像仕上げパターンとして風景モードが選択され、画像処理項目として色相が選択され、使用者により色相が中間値よりも−方向に変更された状態を示す。
【００５１】
第３画像処理設定画面Ｐ３が表示された状態で右方向キー１６ｃまたは左方向キー１６ｄが押下されると、選択された画像処理項目のカーソル（第１〜第４カーソルＣＲ１〜ＣＲ４のいずれか）が横方向に移動せしめられる。第３画像処理設定画面Ｐ３が表示された状態で上方向キー１６ａまたは下方向キー１６ｂが押下されると、選択領域表示フレームＦＲが縦方向に移動せしめられ、画像処理設定項目が変更せしめられる。このとき、画像処理設定項目が画像仕上げパターンに変更せしめられる場合には、第１画像処理設定画面Ｐ１に表示が切り替えられる。
【００５２】
第１、第２画像処理設定画面Ｐ１、Ｐ２が表示された状態において、画像仕上げパターンに関するモードが変更されると、プレビュー画像に対応する画像データが、変更された画像処理仕上げに関するモードに対応する色状態に基づいて画像処理される（図１４のステップＳ５３参照）。画像処理された後の静止画像が、画像処理の設定状態に関する情報（第１、第２画像処理設定画面Ｐ１、Ｐ２）表示の背面に表示される。そのため、画像仕上げパターンを変更することによる結果を視覚的に認識することが可能になる。
【００５３】
第３画像処理設定画面Ｐ３が表示された状態において、画像処理項目の設定値が変更されると、プレビュー画像に対応する画像データが、変更された画像処理項目の設定値に対応する色状態に基づいて画像処理される（図１４のステップＳ５３参照）。画像処理された後の静止画像が、画像処理の設定状態に関する情報（第３画像処理設定画面Ｐ３）表示の背面に表示される。そのため、画像処理項目の設定値を変更することによる結果を視覚的に認識することが可能になる。
【００５４】
また、第１〜第３画像処理設定画面Ｐ１〜Ｐ３が表示された状態において、画像仕上げパターンに関するモードや画像処理項目の設定値が変更されると、色状態表示領域ＩＰ７０上のレーダーチャートＣＨの形状などが変更せしめられる。そのため、画像仕上げパターンに関するモードなどの変更によって、画像処理における色状態を視覚的に認識することが可能になる。
【００５５】
また、第１〜第３画像処理設定画面Ｐ１〜Ｐ３が表示された状態において、電源レバー１２をプレビュー指示位置に合わせると、新たに撮像が行われ、撮像された画像データがＳＤＲＡＭ８０に一時記録され、一時記録された画像データに対応する静止画像が、画像処理の設定状態に関する情報（第１〜第３画像処理設定画面Ｐ１〜Ｐ３）表示の背面に表示される。この時の静止画像は、選択された画像処理仕上げに関するモード、及びかかるモードに対応する設定された画像処理項目の設定値に基づいて画像処理が行われた画像である。
【００５６】
第１〜第３画像処理設定画面Ｐ１〜Ｐ３が表示された状態で、ＯＫボタン１７が押下されると、選択された画像処理仕上げに関するモード、及びかかるモードに対応する設定された画像処理項目の設定値が確定され、通常の撮像モードに切り替えられる。
【００５７】
次に、レーダーチャートＣＨの形状を特定する演算について説明する。制御部３０の演算により、レーダーチャートＣＨにおける各軸上のプロット位置（ＲＧＢＹＣＭの各色の彩度）Ｓａｔは、ＲＧＢＹＣＭの各色のＲＧＢ座標系で示す基準入力Ｓｉｎに対して、選択された画像仕上げパターンと全体的な彩度に基づく色調整行列Ｃｃを乗算し、その後、ＹＣｂＣｒ座標系に変換（ＹＣｂＣｒ変換行列Ｙｃの乗算）し、軸合わせのための座標軸の回転（軸合わせ行列Ａｄｊの乗算）を行った後（Ｌｏｕｔ＝Ａｄｊ×Ｙｃ×Ｃｃ×Ｓｉｎ、Ｌｏｕｔは軸合わせ後の出力）、軸合わせ後の出力ＬｏｕｔのＣｂ成分の自乗とＣｒ成分の自乗の和の平方根により求められる（Ｓａｔ＝（Ｃｂ２＋Ｃｒ２）１／２）。
【００５８】
基準入力Ｓｉｎは、例えば、Ｒ：（２５５、０、０）、Ｇ（０、２５５、０）、Ｂ（０、０、２５５）、Ｙ：（１２８、１２８、０）、Ｃ：（０、１２８、１２８）、及びＭ（１２８、０、１２８）で表される。
【００５９】
色相が調整された場合には、算出されたＲＧＢＹＣＭの各色の彩度に対応した各軸上のプロット位置を、色相の設定値に応じて（色相の変更方向及び変更量に応じて）、原点Ｏを中心に回転させる。例えば、図７、図１１は、レッドＲがマゼンタＭ寄りに、マゼンタＭがブルーＢ寄りに、ブルーＢがシアン寄りに、シアンＣがグリーンＧ寄りに、グリーンＧがイエローＹ寄りに、イエローＹがレッドＲ寄りに色合い（色相）が調整された状態を示す。
【００６０】
次に、本実施形態におけるＲＡＷデータの画像処理設定及び現像処理手順について、図１２のフローチャートを用いて説明する。電源レバー１２をプレビュー指示位置（不図示）に合わせると、ステップＳ１１で、被写体像は、レンズ５１を介した光学像として、撮像素子５３で撮像される。撮像された静止画像は、ＡＦＥ５５でアナログ信号からデジタル信号に変換され、ＤＳＰ６０で画像処理された後、第１表示部９２ａに表示される。ステップＳ１２で、撮像された静止画像のデータ（ＲＡＷデータ）がＳＤＲＡＭ８０に一時記録される。
【００６１】
ステップＳ１３で、色状態調整処理すなわち画像処理に関する設定が行われる。この点については、図１３を使って詳述する。ステップＳ１４で、ＳＤＲＡＭ８０に一時記録されたＲＡＷデータが読み出しされ、ステップＳ１５で、設定された画像処理を含む現像処理が行われる。現像処理については、図１４を使って詳述する。現像処理された画像データは、ステップＳ１６で、第１表示部９２ａに表示される。表示された画像が、使用者の意図する色状態に調整されている場合には、画像処理設定及び現像処理手順は終了される。使用者の意図する色状態に調整されていない場合には、ステップＳ１３に戻され繰り返し、色状態調整処理（画像処理に関する設定）や現像処理が行われる。
【００６２】
次に、色状態調整処理の詳細について図１３のフローチャートを用いて説明する。図１２のステップＳ１３における色状態調整処理では、ステップＳ３１で、４方向キー１６などを操作することにより、画像処理設定として、画像仕上げパターンの選択、色調整項目（全体的な彩度、色相、コントラスト、及びシャープネス）の設定値の調整が行われる。ステップＳ３２で、選択された画像仕上げパターンと全体的な彩度の設定値に基づく色調整行列Ｃｃが算出され、ＲＧＢＹＣＭの各色の基準入力Ｓｉｎに乗算される（Ｃｃ×Ｓｉｎ）。
【００６３】
ステップＳ３３で、ＹＣｂＣｒ座標系への変換、すなわちＹＣｂＣｒ変換行列Ｙｃの乗算が行われる（Ｙｃ×Ｃｃ×Ｓｉｎ）。ステップＳ３４で、色状態表示領域ＩＰ７０におけるレーダーチャートの軸（ＲＣ軸ＡＸＲＣ、ＢＹ軸ＡＸＢＹ、ＧＭ軸ＡＸＧＭ）に合わせる色空間変換、すなわち軸合わせ行列Ａｄｊの乗算が行われる（Ａｄｊ×Ｙｃ×Ｃｃ×Ｓｉｎ）。ステップＳ３５で、軸合わせ後の出力ＬｏｕｔのＣｂ成分とＣｒ成分から、各色の彩度が求められ（Ｓａｔ＝（Ｃｂ２＋Ｃｒ２）１／２）、ステップＳ３６で、算出された各色の彩度の値に基づいてレーダーチャートＣＨが色状態表示領域ＩＰ７０に描画される。このとき、色相が調整されている場合（中間値からずれている場合）には、中間値からのずれに応じて（色相の変更方向及び変更量に応じて）レーダーチャートＣＨが原点Ｏを中心に回転した状態で描画される。
【００６４】
次に、現像処理の詳細について図１４のフローチャートを用いて説明する。図１２のステップＳ１５における現像処理では、ステップＳ５１で、ＲＡＷデータについて色補間処理が行われ、ステップＳ５２で、ホワイトバランス処理が行われる。ステップＳ５３で、画像仕上げパターンの選択、色調整項目（全体的な彩度、色相、コントラスト、及びシャープネス）の設定値に基づいて、画像処理が行われ、ステップＳ５４でガンマ補正処理が行われる。
【００６５】
なお、色状態表示領域ＩＰ７０における図示は、レーダーチャートＣＨに限られない。例えば、基準入力の色成分ごとの彩度や色相をＬ＊ａ＊ｂ＊色空間に変換し、Ｌ＊ａ＊ｂ＊座標系におけるａ軸、ｂ軸を含む平面上に基準入力の出力値を表示（プロット）する形態であってもよい（図１５参照）。この場合、基準入力のプロット位置Ｓａｔは、ＲＧＢ座標系で示す基準入力Ｓｉｎに対して、選択された画像仕上げパターンと全体的な彩度に基づく色調整行列Ｃｃを乗算し、その後、Ｌ＊ａ＊ｂ＊座標系に変換（Ｌａｂ変換行列Ｃｓの乗算）し、色相の回転（色相回転行列Ｒの乗算）を行うことにより求められる（Ｌｏｕｔ＝Ｒ×Ｃｓ×Ｃｃ×Ｓｉｎ、Ｌｏｕｔは上記乗算演算後の出力で、ａ方向成分がａ軸座標、ｂ方向成分がｂ軸座標）。この場合は、ＲＧＢＹＣＭの各色だけでなく、他の特定の色についても図示することが出来る。
【００６６】
本実施形態では、画像処理に関する設定が行われる際に、静止画像によるプレビュー表示が行われるが、動画像であってもよい。
【００６７】
第１表示部９２ａで行うプレビュー表示に使用する画像データは、記録部７０に記録されたＲＡＷデータまたはＹＣｂＣｒデータであってもよい。また、記録部７０やＳＤＲＡＭ８０に記録する前の画像データであってもよい。
【図面の簡単な説明】
【００６８】
【図１】本実施形態における撮像装置の構成図である。
【図２】撮像装置の正面側から見た斜視図である。
【図３】撮像装置の背面側から見た斜視図である。
【図４】プレビュー画像を表示しない状態における、第１画像処理設定画面を示す図である。
【図５】プレビュー画像を表示しない状態における、第２画像処理設定画面を示す図である。
【図６】プレビュー画像を表示しない状態における、第３画像処理設定画面において全体的な彩度を調整した状態を示す図である。
【図７】プレビュー画像を表示しない状態における、第３画像処理設定画面において色相を調整した状態を示す図である。
【図８】プレビュー画像を表示した状態における、第１画像処理設定画面を示す図である。
【図９】プレビュー画像を表示した状態における、第２画像処理設定画面を示す図である。
【図１０】プレビュー画像を表示した状態における、第３画像処理設定画面において全体的な彩度を調整した状態を示す図である。
【図１１】プレビュー画像を表示した状態における、第３画像処理設定画面において色相を調整した状態を示す図である。
【図１２】ＲＡＷデータの画像処理設定及び現像処理手順を示すフローチャートである。
【図１３】画像処理設定及び現像処理手順における色状態調整処理の詳細を示すフローチャートである。
【図１４】画像処理設定及び現像処理手順における現像処理の詳細を示すフローチャートである。
【図１５】Ｌ＊ａ＊ｂ＊座標系におけるａ軸とｂ軸を含む平面上に、色成分ごとの彩度を図示する色状態表示領域を有する第１画像処理設定画面を示す図である。
【符号の説明】
【００６９】
１  撮像装置
１０  操作部
１２  電源レバー
１３  レリーズボタン
１５  ファンクションキー
１６  ４方向キー
１６ａ  上方向キー
１６ｂ  下方向キー
１６ｃ  右方向キー
１６ｄ  左方向キー
１７  ＯＫボタン
３０  制御部
４０  ＥＥＰＲＯＭ
４５  レンズ駆動部
４７  露出制御部
５１  レンズ
５３  撮像素子
５５  ＡＦＥ
６０  ＤＳＰ
７０  記録部
８０  ＳＤＲＡＭ
９０  表示部９０
９１  光学ファインダ
９２ａ、９２ｂ  第１、第２表示部
ＡＸＲＣ  ＲＣ軸
ＡＸＧＭ  ＧＭ軸
ＡＸＢＹ  ＢＹ軸
ＩＰ１０  彩度設定表示領域
ＩＰ２０  色相設定表示領域
ＩＰ３０  コントラスト設定表示領域
ＩＰ４０  シャープネス設定表示領域
ＩＰ５１  第１画像仕上げパターン表示領域
ＩＰ５２  第２画像仕上げパターン表示領域
ＩＰ６１  画像仕上げパターン名称表示領域
ＩＰ６２  項目名称及び設定値表示領域
ＩＰ７０  色状態表示領域
ＩＰ８０  プレビュー指示表示領域
ＩＰ９０  決定指示表示領域
Ｐ１〜Ｐ３  第１〜第３画像処理設定画面
【図１】
0005262378.tif 000002
【図２】
0005262378.tif 000003
【図３】
0005262378.tif 000004
【図４】
0005262378.tif 000005
【図５】
0005262378.tif 000006
【図６】
0005262378.tif 000007
【図７】
0005262378.tif 000008
【図８】
0005262378.tif 000009
【図９】
0005262378.tif 000010
【図１０】
0005262378.tif 000011
【図１１】
0005262378.tif 000012
【図１２】
0005262378.tif 000013
【図１３】
0005262378.tif 000014
【図１４】
0005262378.tif 000015
【図１５】
0005262378.tif 000016